(57)【要約】【課題】  複数の鍵が連結される共通支持部を特殊な形状に形成する必要がなく、不揃いな鍵のみを容易に且つ確実に調整することができる鍵盤構造を提供する。【解決手段】  第１、第２の各白鍵ユニット１、２および黒鍵ユニット３のうち、第１の白鍵ユニット１における複数の白鍵４の各間に、第２の白鍵ユニット２の各白鍵７を配置させて、各白鍵共通支持部５、８を重ねて合わせて締結部材１４によって固定するときに、不揃いの白鍵４、７に対応する箇所の共通支持部５上に第１〜第３の各配列調整部材１５〜１７のいずれかを選択して配置し、この選択した第１〜第３の配列調整部材１５〜１７のいずれかを締結部材１４の締付力によって押え付けることにより、不揃いの白鍵４、７を個別に変位させて白鍵４、７の不揃いを容易に且つ確実に調整することができる。【選択図】        図１
2014021145.tif 000002
【特許請求の範囲】
【請求項１】
複数の鍵の各後端部を前記複数の鍵の配列方向に沿って連続して連結する共通支持部と、
前記共通支持部を鍵盤シャーシ上に固定することにより、前記複数の鍵を前記鍵盤シャーシ上に並列に配列させると、
前記によって前記共通支持部を前記鍵盤シャーシ上に固定する際に、前記鍵の配列状態が不揃いな鍵に対応する前記共通支持部上の位置に配置され、前記の締付力に応じて前記不揃いな鍵を変位させて前記鍵の配列状態を調整する配列調整部材と、
を備えていることを特徴とする鍵盤構造。
【請求項２】
請求項１に記載の鍵盤構造において、前記配列調整部材は、前記鍵の不揃いな状況に応じて複数の種類を有していることを特徴とする鍵盤構造。
【請求項３】
請求項１または請求項２に記載の鍵盤構造において、前記配列調整部材は、前記共通支持部上に配置される固定板と、この固定板の下面に設けられて前記の締付力に応じて前記鍵を変位させる変位突起部とを備えていることを特徴とする鍵盤構造。
【請求項４】
請求項３に記載の鍵盤構造において、前記複数種類の配列調整部材のうち、１種類の配列調整部材の前記変位突起部は、前記共通支持部に接近する前記屈曲部の後端部における前記鍵配列方向に位置する一方の端部を押圧して、前記鍵を捻じれ変形させることを特徴とする鍵盤構造。
【請求項５】
請求項４に記載の鍵盤構造において、前記鍵の前記屈曲部は前記鍵の上面よりも低い位置に設けられていることを特徴とする鍵盤構造。
【請求項６】
請求項３に記載の鍵盤構造において、前記複数種類の配列調整部材のうち、いずれか複数の配列調整部材の前記変位突起部は、前記共通支持部の前後部と前記鍵配列方向における前記屈曲部の両側部とのいずれかを面方向に沿って押圧して、前記鍵をその前後方向および鍵配列方向のいずれかの方向に変位させることを特徴とする鍵盤構造。
【請求項７】
請求項６に記載の鍵盤構造において、前記配列調整部材の前記変位突起部は、前記共通支持部の前後部の一方に対応して突出し、この突出した部分における前後面の一方に傾斜面が上下方向に沿って設けられ、前記によって前記共通支持部を前記鍵盤シャーシ上に固定する際に、前記共通支持部の前後部の前記一方を前記傾斜面で押圧して、前記鍵をその前後方向に変位させることを特徴とする鍵盤構造。
【請求項８】
請求項６に記載の鍵盤構造において、前記配列調整部材の前記変位突起部は、前記鍵配列方向における前記屈曲部の両側部の一方に対応して突出し、この突出した部分における両側面の一方に傾斜面が上下方向に沿って設けられ、前記によって前記共通支持部を前記鍵盤シャーシ上に固定する際に、前記鍵配列方向における前記屈曲部の両側部の前記一方を前記傾斜面で押圧して、前記鍵を前記鍵配列方向に変位させることを特徴とする鍵盤構造。
【発明の詳細な説明】
【技術分野】
【０００１】
この発明は、電子ピアノや電子オルガンなどの鍵盤楽器に用いられる鍵盤構造に関する。
【背景技術】
【０００２】
例えば、鍵盤楽器の鍵盤構造においては、特許文献１に記載されているように、複数の鍵の各後端部を複数の鍵の配列方向に沿って連続する共通支持部にそれぞれ屈曲部を介して連結して、複数の鍵を所定間隔で配列させることにより、複数の鍵ユニットを構成し、この複数の鍵ユニットの各共通支持部を重ね合わせて、複数の鍵ユニットのうち、１つの鍵ユニットにおける複数の鍵の各間に他の鍵ユニットの各鍵を配置させ、この状態で各共通支持部をねじなどの締結部材で鍵盤シャーシ上に締め付けて固定することにより、多数の鍵を鍵盤シャーシ上に並列に配列させるように構成されたものが知られている。
【先行技術文献】
【特許文献】
【０００３】
【特許文献１】特開２０１０−１５２０９２号公報
【０００４】
このような鍵盤構造では、複数の鍵ユニットの各共通支持部を重ね合わせて締結部材で締め付けた際に、互いに隣接する鍵同士の隙間が均一になるように修正するために、複数の共通支持部が重なり合って対向する対向面の双方にそれぞれ傾斜部を設け、この互いに対向する傾斜部が締結部材の締付力に応じて共通支持部の一部を傾斜部に沿って変形させることにより、互いに隣接する鍵同士の隙間を調整するように構成されている。
【発明の概要】
【発明が解決しようとする課題】
【０００５】
しかしながら、このような鍵盤構造では、複数の鍵ユニットの各鍵を隣接する各鍵間に配置させて、複数の鍵ユニットの各共通支持部を重ね合わせ、この状態で各共通支持部を締結部材で締め付ける際に、互いに隣接する鍵同士の隙間がすべて不均一である訳ではなく、一部の鍵同士の隙間が不均一になるのであるが、複数の鍵ユニットにおける各共通支持部の各対向面に傾斜部を各鍵に対応させて設けなければならないという問題がある。
【０００６】
また、このような鍵盤構造における鍵同士の隙間の不揃いは、鍵の捻じれ、鍵の前後方向における位置ずれ、あるいは鍵配列方向における鍵の位置ずれなどによって発生するが、これらの原因で生じる鍵の不揃いを単純な一方向の傾斜部で解消することは困難であり、鍵が不揃いになる原因に応じて傾斜部を複数方向に傾斜させる必要があるため、傾斜部の傾斜形状が煩雑で複雑になり、その製作が面倒であるなどの問題もある。
【０００７】
この発明が解決しようとする課題は、複数の鍵が連結された共通支持部を特殊な形状に形成する必要がなく、不揃いな鍵のみを容易に且つ確実に調整することができる鍵盤構造を提供することである。
【課題を解決するための手段】
【０００８】
この発明は、複数の鍵の各後端部を前記複数の鍵の配列方向に沿って連続して連結する共通支持部と、前記共通支持部を鍵盤シャーシ上に固定することにより、前記複数の鍵を前記鍵盤シャーシ上に並列に配列させると、前記によって前記共通支持部を前記鍵盤シャーシ上に固定する際に、前記鍵の配列状態が不揃いな鍵に対応する前記共通支持部上の位置に配置され、前記の締付力に応じて前記不揃いな鍵を変位させて前記鍵の配列状態を調整する配列調整部材と、を備えていることを特徴とする鍵盤構造である。
【発明の効果】
【０００９】
この発明によれば、複数の鍵の各後端部がそれぞれ屈曲部を介して連結された共通支持部を鍵盤シャーシ上に固定する際に、不揃いな鍵に対応する箇所の共通支持部上に配列調整部材を配置し、この配列調整部材を締め付けると、その締付力に応じて配列調整部材が鍵を個別に変位させて鍵の配列状態を調整することができる。これにより、複数の鍵が連結された共通支持部を特殊な形状に形成する必要がなく、不揃いな鍵のみを容易に且つ確実に調整することができる。
【図面の簡単な説明】
【００１０】
【図１】この発明を適用した鍵盤構造の一実施形態を示した要部の平面図である。
【図２】図１に示された鍵盤構造のＡ−Ａ矢視における一部破断した側面図である。
【図３】図１の鍵盤構造における第１の白鍵ユニットを示し、（ａ）はその平面図、（ｂ）はそのＢ−Ｂ矢視における一部破断した側面図である。
【図４】図１の鍵盤構造における第２の白鍵ユニットを示し、（ａ）はその平面図、（ｂ）はそのＣ−Ｃ矢視における一部破断した側面図である。
【図５】図１の鍵盤構造における黒鍵ユニットを示し、（ａ）はその平面図、（ｂ）はそのＤ−Ｄ矢視における一部破断した側面図である。
【図６】図１に示された鍵盤構造のＥ−Ｅ矢視において、第１配列調整部材が配置された状態を示した要部の拡大断面図である。
【図７】図６に示された第１配列調整部材を示し、（ａ）はその拡大平面図、（ｂ）はその拡大側面図である。
【図８】図３に示された第１の白鍵ユニットにおいて、左下がりに捻じれている白鍵を第１配列調整部材で調整した状態を示した図である。
【図９】図３に示された第１の白鍵ユニットにおいて、右下がりに捻じれている白鍵を第１配列調整部材で調整した状態を示した図である。
【図１０】図１に示された鍵盤構造のＥ−Ｅ矢視において、第２配列調整部材が配置された状態を示した要部の拡大断面図である。
【図１１】図１０に示された第２配列調整部材を示し、（ａ）はその拡大平面図、（ｂ）はそのＦ−Ｆ矢視における拡大断面図である。
【図１２】図３に示された第１の白鍵ユニットにおいて、前側に位置ずれしている白鍵を第２配列調整部材で調整した状態を示した平面図である。
【図１３】図１に示された鍵盤構造のＥ−Ｅ矢視において、第３配列調整部材が配置された状態を示した要部の拡大断面図である。
【図１４】図１３に示された第３配列調整部材を示し、（ａ）はその拡大平面図、（ｂ）はその拡大側面図である。
【図１５】図３に示された第１の白鍵ユニットにおいて、鍵配列方向の左側に位置ずれしている白鍵を第３配列調整部材で調整する状態を示した図である。
【図１６】この発明の鍵盤構造における第２変位突起部の第１変形例を示し、（ａ）は第１の白鍵ユニットに配置した状態を示した平面図、（ｂ）はそのＧ−Ｇ矢視における要部の拡大断面図である。
【図１７】この発明の鍵盤構造における第３変位突起部の第２変形例を示し、（ａ）は第１の白鍵ユニットに配置した状態を示した平面図、（ｂ）はそのＨ−Ｈ矢視における要部の拡大断面図である。
【発明を実施するための形態】
【００１１】
以下、図１〜図１５を参照して、この発明を適用した鍵盤構造の一実施形態について説明する。
この鍵盤構造は、図１および図２に示すように、第１の白鍵ユニット１と、第２の白鍵ユニット２と、黒鍵ユニット３とを備えている。第１の白鍵ユニット１は複数の白鍵４を有し、第２の白鍵ユニット２は複数の白鍵７を有し、黒鍵ユニット３は複数の黒鍵１０を有している。これら白鍵４、７および黒鍵１０は、並列に配列された状態で、第１の白鍵共通支持部５、第２の白鍵共通支持部８、および黒鍵共通支持部１１にそれぞれ屈曲部６、９、１２を介して連結されている。
【００１２】
すなわち、第１の白鍵ユニット１は、図３（ａ）および図３（ｂ）に示すように、複数の白鍵４（Ｃ、Ｅ、Ｇ、Ｂの各鍵）の各後端部（図３（ｂ）では右端部）を、白鍵４の配列方向に沿って連続する第１の白鍵共通支持部５に、それぞれ屈曲部６を介して一体に連結することにより、複数の白鍵４が所定間隔で配列された構成になっている。
【００１３】
第２の白鍵ユニット２は、図４（ａ）および図４（ｂ）に示すように、複数の白鍵７（Ｄ、Ｆ、Ａの各鍵）の各後端部（図４（ｂ）では右端部）を、白鍵７の配列方向に沿って連続する第２の白鍵共通支持部８に、それぞれ屈曲部９を介して一体に連結することにより、複数の白鍵７が所定間隔、つまり第１の白鍵ユニット１の各鍵４の間に配置される間隔で配列された構成になっている。
【００１４】
黒鍵ユニット３は、図５（ａ）および図５（ｂ）に示すように、複数の黒鍵１０（Ｃ＃、Ｄ＃、Ｆ＃、Ｇ＃、Ａ＃の各鍵）の各後端部（図５（ｂ）では右端部）を、黒鍵１０の配列方向に沿って連続する黒鍵共通支持部１１に、それぞれ屈曲部１２を介して一体に連結することにより、複数の黒鍵１０が所定間隔、つまり第１、第２の各白鍵ユニット１、２の各鍵４、７の間に配置される間隔で配列された構成になっている。
【００１５】
この場合、第１の白鍵ユニット１における複数の白鍵４は、図３（ａ）および図３（ｂ）に示すように、その各後端部に形成されて第１の白鍵共通支持部５に一体に連結された各屈曲部６を支点として上下方向に回動変位するように構成されている。この屈曲部６は、上下方向に撓み変形する薄肉の平板状に形成され、図３（ｂ）に示すように、白鍵４の上面よりも低い位置において、白鍵４の後端面におけるほぼ中間部に設けられている。
【００１６】
この屈曲部６が連結された第１の白鍵共通支持部５は、図３（ａ）および図３（ｂ）に示すように、白鍵４の配列方向に沿って連続する帯板状に形成され、その前端面（図３（ｂ）では左端面）における下端部に屈曲部６がそれぞれ一体に連結形成され、これにより屈曲部６の上側に位置するように構成されている。この第１の白鍵共通支持部５における下面側の所定箇所、つまり白鍵共通支持部５の長手方向における両側部付近には、図２および図３（ｂ）に示すように、凹凸形状の第１位置決め部５ａが形成されている。
【００１７】
また、第２の白鍵ユニット２における複数の白鍵７は、図４（ａ）および図４（ｂ）に示すように、その各後端部に形成されて第２の白鍵共通支持部８に一体に連結された各屈曲部９を支点として上下方向に回動変位するように構成されている。この場合にも、屈曲部９は、上下方向に撓み変形する薄肉の平板状に形成され、図４（ｂ）に示すように、白鍵７の上面よりも低い位置において、白鍵７の後端面における下端部に設けられている。
【００１８】
この屈曲部９が連結された第２の白鍵共通支持部８も、図４（ａ）および図４（ｂ）に示すように、白鍵７の配列方向に沿って連続する帯板状に形成され、その前端面（図４（ｂ）では左端面）に屈曲部９がそれぞれ一体に連結形成され、これにより屈曲部９と同じ高さに位置するように構成されている。
【００１９】
この場合、第２の白鍵共通支持部８における上面の所定箇所、つまり白鍵共通支持部８の長手方向における両側部付近には、図２および図４（ｂ）に示すように、第１の白鍵共通支持部５の第１位置決め部５ａに係合して位置決めされる凹凸形状の第２位置決め部８ａが形成されている。また、この第２の白鍵共通支持部８における下面の所定箇所、つまり第２位置決め部８ａに対応する箇所には、凹凸形状の第３位置決め部８ｂが形成されている。
【００２０】
同様に、黒鍵ユニット３における複数の黒鍵１０は、図５（ａ）および図５（ｂ）に示すように、その各後端部に形成されて黒鍵共通支持部１１に一体に連結された各屈曲部１２を支点として上下方向に回動変位するように構成されている。この場合にも、屈曲部１２は、上下方向に撓み変形する薄肉の平板状に形成され、図５（ｂ）に示すように、黒鍵１０の上面よりも低い位置において、黒鍵１０の後端面における下端部に設けられている。
【００２１】
この屈曲部１２が連結された黒鍵共通支持部１１も、図５（ａ）および図５（ｂ）に示すように、黒鍵１０の配列方向に連続する帯板状に形成され、その前端部（図５（ｂ）では左端面）の上面に屈曲部１２がそれぞれ一体に連結形成され、これにより屈曲部１２の下側に位置するように構成されている。
【００２２】
この黒鍵共通支持部１１における上面の所定箇所には、図２および図５（ｂ）に示すように、第２の白鍵共通支持部８の第３位置決め部８ａに係合して位置決めされる凹凸形状の第４位置決め部１１ａが形成されている。また、この黒鍵共通支持部１１における下面の所定箇所、つまり第４位置決め部１１ａに対応する箇所には、鍵盤シャーシ１３に対して位置決めされる凸形状の第５位置決め部１１ｂが形成されている。
【００２３】
ところで、第１、第２の各白鍵ユニット１、２および黒鍵ユニット３は、図１および図２に示すように、第１、第２の各白鍵共通支持部５、８および黒鍵共通支持部１１を重ね合わせて、第１の白鍵ユニット１における各白鍵４の間、第２の白鍵ユニット２における各白鍵７の間、および黒鍵ユニット３における各黒鍵１０の間に、相互に各白鍵４、７および各黒鍵１０が並列に配置されて音階順に配列されるように構成されている。
【００２４】
この場合、第１、第２の各白鍵ユニット１、２および黒鍵ユニット３は、図１および図２に示すように、各白鍵４、７および各黒鍵１０が音階順に配列された状態で、第１、第２の各白鍵共通支持部５、８および黒鍵共通支持部１１が、複数の締結部材１４によって締め付けられて鍵盤シャーシ１３上に固定されるように構成されている。
【００２５】
この複数の締結部材１４は、図１に示すように、第１、第２の各白鍵ユニット１、２における複数の白鍵４、７に対応する箇所、および黒鍵ユニット３における黒鍵１０に対応する箇所において、第１、第２の各白鍵共通支持部５、８および黒鍵共通支持部１１を締め付けて鍵盤シャーシ１３上に固定するように構成されている。
【００２６】
また、第１、第２の各白鍵ユニット１、２における第１、第２の各白鍵共通支持部５、８、および黒鍵ユニット３における黒鍵共通支持部１１のうち、最上部に位置する第１の白鍵ユニット１における第１の白鍵共通支持部５の上面には、図１、図６〜図１５に示すように、第１〜第３の各配列調整部材１５〜１７のいずれかが白鍵４、７および黒鍵１０のいずれかに対応した状態で選択的に配置されている。
【００２７】
この第１〜第３の各配列調整部材１５〜１７は、図６〜図１５に示すように、締結部材１４の締付力に応じて、不揃いになっている白鍵４、７および黒鍵１０のいずれかを変位させて白鍵４、７および黒鍵１０の配列状態を調整するものである。この第１〜第３の各配列調整部材１５〜１７は、白鍵４、７および黒鍵１０のいずれかに対応した状態で、最上部の白鍵共通支持部５上に選択的に配置される第１〜第３の各固定板１８〜２０と、この第１〜第３の各固定板１８〜２０にそれぞれ設けられて締結部材１４の締付力に応じて白鍵４、７および黒鍵１０を変位させる第１〜第３の各変位突起部２１〜２３とを備えている。
【００２８】
この第１〜第３の各配列調整部材１５〜１７のうち、第１配列調整部材１５は、白鍵４、７および黒鍵１０の捻じれによる白鍵４、７および黒鍵１０の配列状態を調整するためのものである。この第１配列調整部材１５の第１固定板１８は、図７（ａ）および図７（ｂ）に示すように、四角形の板状に形成されており、その中心部には、締結部材１４が挿入する挿入孔１８ａが設けられている。
【００２９】
この第１固定板１８は、図７（ａ）および図７（ｂ）に示すように、その前後方向の長さが白鍵共通支持部５の前後方向の長さとほぼ同じで、且つ鍵配列方向の長さが白鍵４、７および黒鍵１０の各屈曲部６、９、１２における鍵配列方向の長さ（幅）とほぼ同じ大きさに形成されている。この場合、第１固定板１８は、ほぼ正方形に形成されていることが望ましい。
【００３０】
また、この第１配列調整部材１５の第１変位突起部２１は、図８および図９に示すように、白鍵共通支持部５に接近する各屈曲部６、９、１２の後端部における鍵配列方向（図８では左右方向）に位置する一方の端部（図８では左側の辺部６ｂ）を締結部材１４の締付力に応じて押圧することにより、白鍵４、７および黒鍵１０を捻じれ変形させて、隣接する鍵同士の隙間Ｓを調整するように構成されている。
【００３１】
すなわち、この第１変位突起部２１は、図６および図７に示すように、第１固定板１８の対角線上に位置する各角部にそれぞれ設けられている。この第１変位突起部２１は、図８に示すように、第１固定板１８が白鍵共通支持部５上に配置された状態で、締結部材１４によって締め付けられた際に、屈曲部６の後端部における鍵配列方向に位置する一方の端部（図８では右側の辺部６ｂ）を押圧して、白鍵４を捻じれ変形させるように構成されている。
【００３２】
また、この第１変位突起部２１は、図９に示すように、第１固定板１８が９０度回転して白鍵共通支持部５上に配置され、この状態で締結部材１４によって締め付けられた際に、屈曲部６の後端部における鍵配列方向に位置する一方の端部（図９では左側の辺部６ａ）を押圧して、白鍵４を捻じれ変形させるように構成されている。この第１変位突起部２１は、第２の白鍵ユニット２の白鍵７および黒鍵ユニット３の黒鍵１０についても、同様に、捻じれ変形させるように構成されている。
【００３３】
一方、第２配列調整部材１６は、図１０〜図１２に示すように、白鍵４、７および黒鍵１０の前後方向に位置ずれしている白鍵４、７および黒鍵１０の配列状態を調整するためのものである。この第２配列調整部材１６の第２固定板１９も、第１固定板１７と同様、四角形の板状に形成されており、その中心部には、締結部材１４が挿入する挿入孔１９ａが設けられている。
【００３４】
この第２固定板１９も、図１０〜図１２に示すように、第１固定板１７と同様、その前後方向の長さが白鍵共通支持部５の前後方向の長さとほぼ同じで、且つ鍵配列方向の長さが白鍵４、７および黒鍵１０の各屈曲部６、９、１２における鍵配列方向の長さ（幅）とほぼ同じ大きさに形成されている。この場合にも、第２固定板１９は、ほぼ正方形に形成されていることが望ましい。
【００３５】
また、この第２配列調整部材１６の第２変位突起部２２は、図１０〜図１２に示すように、白鍵共通支持部５の前後部の一方（図１０では左側）に対応して突出し、この突出した部分における後面（図１０では右側面）に傾斜面２２ａが上下方向に沿って設けられ、締結部材１４の締付力に応じて傾斜面２２ａが最上部の白鍵共通支持部５の前後部の一方（図１０では左端部）を押圧して、白鍵４、７および黒鍵１０をその前後方向（図１０では右側）に変位させるように構成されている。
【００３６】
すなわち、この第２変位突起部２２は、図１０〜図１２に示すように、第２固定板１９の前後部に位置する一方（図１０では左側）の辺部１９ｂに設けられている。これにより、第２変位突起部２２は、第２固定板１９が白鍵共通支持部５上に配置された状態で、締結部材１４によって締め付けられた際に、傾斜面２２ａが白鍵共通支持部５の前端部５ｂを後方（図１０では右側）に向けて徐々に押圧して、白鍵４を後方に変位させるように構成されている。
【００３７】
また、この第２変位突起部２２は、第２固定板１９が１８０度回転して白鍵共通支持部５上に配置された状態で、締結部材１４によって締め付けられた際に、傾斜面２２ａが白鍵共通支持部５の後端部５ｃを前方（図１０では左側）に向けて徐々に押圧して、白鍵４を前方に変位させるように構成されている。この第２変位突起部２２は、第２の白鍵ユニット２の白鍵７および黒鍵ユニット３の黒鍵１０についても、同様に、前後方向に変位させるように構成されている。
【００３８】
さらに、第３配列調整部材１７は、図１３〜図１５に示すように、白鍵４、７および黒鍵１０の左右方向つまり鍵配列方向の位置ずれを調整するためのものである。この第３配列調整部材１７の第３固定板２０も、第１、第２の各固定板１８、１９と同様、四角形の板状に形成されており、その中心部には、締結部材１４が挿入する挿入孔２０ａが設けられている。
【００３９】
この第３固定板２０も、図１３〜図１５に示すように、第１、第２の各固定板１８、１９と同様、その前後方向の長さが白鍵共通支持部５の前後方向の長さとほぼ同じで、且つ鍵配列方向の長さが白鍵４、７および黒鍵１０の各屈曲部６、９、１２における鍵配列方向の長さ（幅）とほぼ同じ大きさに形成されている。この場合にも、第３固定板２０は、ほぼ正方形に形成されていることが望ましい。
【００４０】
また、この第３配列調整部材１７の第３変位突起部２３は、図１３〜図１５に示すように、各屈曲部６、９、１２の鍵配列方向における両側部の一方（図１３では左側の辺部６ａ）に沿って突出し、この突出した部分における両側面の一方（図１３では右側面）に傾斜面２３ａが上下方向に沿って設けられ、締結部材１４の締付力に応じて傾斜面２３ａが各屈曲部６、９、１２の鍵配列方向における両側部の一方（図１３では左側の辺部６ａ）を徐々に押圧して、白鍵４、７および黒鍵１０を鍵配列方向に変位させるように構成されている。
【００４１】
すなわち、この第３変位突起部２３は、図１３〜図１５に示すように、第３固定板２０の前後に位置する各辺部にそれぞれ屈曲部６における鍵配列方向の一方（図１３では左側）の辺部６ａに沿って突出して設けられている。この第３変位突起部２３は、第３固定板２０が白鍵共通支持部５上に配置された状態で、締結部材１４によって締め付けられた際に、傾斜面２３ａが屈曲部６の辺部６ａを徐々に押圧して、白鍵４を鍵配列方向の右側に変位させるように構成されている。
【００４２】
また、この第３変位突起部２３は、第３固定板２０が面方向に１８０度回転して白鍵共通支持部５上に配置された状態で、締結部材１４によって締め付けられた際に、傾斜面２３ａが屈曲部６の辺部６ａと反対側に位置する辺部６ｂを徐々に押圧して、白鍵４を鍵配列方向の左側に変位させるように構成されている。この第３変位突起部２３は、第２の白鍵ユニット２の白鍵７および黒鍵ユニット３の黒鍵１０についても、同様に、鍵配列方向に変位させるように構成されている。
【００４３】
次に、このような鍵盤構造の作用について説明する。
この場合には、まず、黒鍵ユニット３を鍵盤シャーシ１３上に配置する。このときには、黒鍵ユニット３の黒鍵共通支持部１１の下面に設けられた第５位置決め部１１ｂによって鍵盤シャーシ１３上に位置決めする。この状態で、黒鍵ユニット３上に第２の白鍵ユニット２を組み付ける。
【００４４】
このときには、図１に示すように、黒鍵ユニット３における複数の黒鍵１０の各間に、第２の白鍵ユニット２における複数の白鍵７を配置して、図２に示すように、黒鍵ユニット３の黒鍵共通支持部１１上に第２の白鍵ユニット２における第２の白鍵共通支持部８を重ね合わせる。この場合には、黒鍵共通支持部１１の上面に設けられた第４位置決め部１１ａに、第２の白鍵共通支持部８の下面に設けられた第３位置決め部８ｂを係合させて、黒鍵共通支持部１１に対して第２の白鍵共通支持部８を位置決めする。
【００４５】
この後、図１に示すように、黒鍵ユニット３における複数の黒鍵１０の各間、および第２の白鍵ユニット２における複数の白鍵７の各間に、第１の白鍵ユニット１における複数の白鍵４を配置して、図２に示すように、第２の白鍵ユニット２における第２の白鍵共通支持部８上に第１の白鍵ユニット１における第１の白鍵共通支持部５を重ね合わせる。この場合にも、第２の白鍵共通支持部８の上面に設けられた第２位置決め部８ａに、第１の白鍵共通支持部５の下面に設けられた第１位置決め部５ａを係合させて、第２の白鍵共通支持部８に対して第１の白鍵共通支持部５を位置決めする。
【００４６】
これにより、図１および図２に示すように、第１の白鍵共通支持部５、第２の白鍵共通支持部８、および黒鍵共通支持部１１が重ね合わされて、白鍵４、７および黒鍵１０が音階順に並列に配列される。この状態で、第１の白鍵共通支持部５、第２の白鍵共通支持部８、および黒鍵共通支持部１１を複数の締結部材１４によって相互に締め付けて鍵盤シャーシ１３上に固定する。
【００４７】
このときに、音階順に並列に配列された白鍵４、７および黒鍵１０のうち、いずれかが不揃いである場合には、その不揃いの白鍵４、７および黒鍵１０を第１〜第３の各配列調整部材１５〜１７のいずれかによって調整する。例えば、図８に示すように、第１、第２の各白鍵ユニット１、２の各白鍵４、７のうち、第１の白鍵ユニット１における一部の白鍵４（例えばＥの白鍵）が鍵配列方向の左下りに捻じれて、配列状態が不揃いになっている場合には、その一部の白鍵４の捻じれを第１配列調整部材１５によって調整する。
【００４８】
すなわち、第１の白鍵ユニット１における一部の白鍵４（例えばＥの白鍵）が鍵配列方向の左下りに捻じれ、これに隣接する第２の白鍵ユニット２の白鍵７（例えばＦの白鍵）との間の隙間Ｓが不揃いである場合には、白鍵４（例えばＥの各白鍵）に対応する白鍵共通支持部５上に第１配列調整部材１５を配置し、この状態で締結部材１４によって第１配列調整部材１５を白鍵共通支持部５と共に鍵盤シャーシ１３上に固定する。
【００４９】
このときには、図８に示すように、第１配列調整部材１５の第１固定板１８を、捻じれている白鍵４に対応する白鍵共通支持部５上に配置し、この第１固定板１８の下面における対角線上の角部に設けられた一方の第１変位突起部２１を、捻じれている白鍵４の屈曲部６の後端部における鍵配列方向に位置する一方（図８では右側）の辺部６ｂ上に配置する。
【００５０】
この状態で、締結部材１４を締め付けると、第１変位突起部２１が屈曲部６の後端部における鍵配列方向に位置する右側の辺部６ｂを押圧する。すると、締結部材１４の締付力に応じて屈曲部６が右下りに捻じれ、白鍵４が左上りに捻じれる。これにより、捻じれていた白鍵４（例えばＥの白鍵）の捻じれが修正され、この修正された白鍵４とこれに隣接する第２の白鍵ユニット２の白鍵７（例えばＦの白鍵）との間の隙間Ｓが調整され、第１、第２の各鍵ユニット１、２の各白鍵４、７の配列状態が均一に揃う。
【００５１】
この場合、例えば、図８において第１、第２の各白鍵ユニット１、２の各白鍵４、７のうち、第１の白鍵ユニット１における一部の白鍵４（例えばＥの白鍵）が、上述した場合とは逆に、鍵配列方向の右下りに捻じれて、配列状態が不揃いになっている場合には、図９に示すように、第１配列調整部材１５の第１固定板１８を、捻じれている白鍵４に対応する白鍵共通支持部５上に９０度回転させて配置し、この第１固定板１８の下面における対角線上の角部に設けられた一方の第１変位突起部２１を、捻じれている白鍵４の屈曲部６の後端部における鍵配列方向に位置する一方（図９では右側）の辺部６ａ上に配置する。
【００５２】
この状態で、締結部材１４を締め付けると、第１変位突起部２１が屈曲部６の後端部における鍵配列方向に位置する右側の辺部６ａを押圧する。すると、締結部材１４の締付力に応じて屈曲部６が左下りに捻じれ、白鍵４が右上りに捻じれる。これにより、上述した場合と同様、捻じれていた白鍵４（例えばＥの白鍵）の捻じれが修正され、この修正された白鍵４とこれに隣接する第２の白鍵ユニット２の白鍵７（例えばＦの白鍵）との間の隙間Ｓが調整され、第１、第２の各鍵ユニット１、２の各白鍵４、７の配列状態が均一に揃う。
【００５３】
また、例えば、図１２に示すように、第１、第２の各白鍵ユニット１、２の各白鍵４、７のうち、第１の白鍵ユニット１における一部の白鍵４（例えばＥの白鍵）が前後方向（つまり白鍵４の長手方向）に位置がずれて、配列状態が不揃いになっている場合には、その白鍵４を第２配列調整部材１６によって前後方向（図１２では上下方向）に調整する。
【００５４】
すなわち、第１の白鍵ユニット１における一部の白鍵４（例えばＥの白鍵）が、図１２に２点鎖線で示すように、前側に位置ずれし、これに隣接する第２の白鍵ユニット２の白鍵７（例えばＤ、Ｆの各白鍵）に対して前方に位置がずれている場合には、その一部の白鍵４（例えばＥの各白鍵）に対応する白鍵共通支持部５上に第２配列調整部材１６を配置し、この状態で締結部材１４によって第２配列調整部材１６を白鍵共通支持部５と共に鍵盤シャーシ１３上に固定する。
【００５５】
このときには、図１０および図１２に示すように、第２配列調整部材１６の第２固定板１９を、前後に位置がずれている白鍵４に対応する白鍵共通支持部５上に配置し、この第２固定板１９の下面における前後方向の辺部１９ｂに設けられた第２変位突起部２２を白鍵共通支持部５の前端部５ｂに対応させて配置する。
【００５６】
この状態で、締結部材１４を締め付けると、第２変位突起部２２の傾斜面２２ａが白鍵共通支持部５の前端部５ｂを徐々に押圧する。すると、締結部材１４の締付力に応じて白鍵共通支持部５が第２変位突起部２２の傾斜面２２ａによって後方（図１２では上側）に向けて変位し、これに伴って前側に位置ずれしている白鍵４が屈曲部６を介して後方に変位する。これにより、前側に位置ずれしている白鍵４の前端面がこれに隣接する白鍵７の前端面と同じ位置に調整され、第１、第２の各鍵ユニット１、２の各白鍵４、７の配列状態が均一に揃う。
【００５７】
この場合、例えば、図１２において第１、第２の各白鍵ユニット１、２の各白鍵４、７のうち、第１の白鍵ユニット１における一部の白鍵４（例えばＥの白鍵）が、上述した場合とは逆に、後方に位置ずれして、配列状態が不揃いになっている場合には、第２配列調整部材１６の第２固定板１９を、後方に位置ずれしている白鍵４に対応する白鍵共通支持部５上に１８０度回転させて配置し、この第２固定板１９の下面における一方の辺部１９ｂに設けられた第２変位突起部２２を、位置ずれしている白鍵４に対応する白鍵共通支持部５の後端部５ｃに対応させて配置する。
【００５８】
この状態で、締結部材１４を締め付けると、第２変位突起部２２の傾斜面２２ａが白鍵共通支持部５の後端部５ｃを徐々に押圧する。すると、締結部材１４の締付力に応じて白鍵共通支持部５が第２変位突起部２２の傾斜面２２ａによって前方（図１２では下側）に向けて変位し、これに伴って後側に位置ずれしている白鍵４が屈曲部６を介して前方に変位する。これにより、後側に位置ずれしている白鍵４の前端面がこれに隣接する白鍵７の前端面と同じ位置に調整され、第１、第２の各鍵ユニット１、２の各白鍵４、７の配列状態が均一に揃う。
【００５９】
さらに、例えば、図１５に示すように、第１、第２の各白鍵ユニット１、２の各白鍵４、７のうち、第１の白鍵ユニット１における一部の白鍵４（例えばＥの白鍵）が左右方向つまり鍵配列方向に傾いた状態で位置ずれし、白鍵４、７の配列状態が不揃いになっている場合には、その白鍵４の左右方向の位置ずれを第３配列調整部材１７によって調整する。
【００６０】
すなわち、第１の白鍵ユニット１における一部の白鍵４（例えばＥの白鍵）が左側に傾いた状態で位置ずれし、これに隣接する第２の白鍵ユニット２の白鍵７（例えばＦの各白鍵）に対して位置ずれし、その隙間Ｓが不揃いである場合には、その一部の白鍵４（例えばＥの各白鍵）に対応する白鍵共通支持部５上に第３の配列調整部材１７を配置し、この状態で締結部材１４によって第３の配列調整部材１７を白鍵共通支持部５と共に鍵盤シャーシ１３上に固定する。
【００６１】
このときには、図１３〜図１５に示すように、第３配列調整部材１７の第３固定板２０を、位置ずれしている白鍵４に対応する白鍵共通支持部５上に配置し、この第３固定板２０に屈曲部６の鍵配列方向における両側部の一方に沿って突出した第３変位突起部２３を、位置ずれしている白鍵４の屈曲部６における鍵配列方向に位置する一方（図１３では左側）の辺部６ａに対応させて配置する。
【００６２】
この状態で、締結部材１４を締め付けると、第３変位突起部２３の傾斜面２３ａが屈曲部６の左側に位置する辺部６ａを徐々に押圧する。すると、締結部材１４の締付力に応じて屈曲部６が第３変位突起部２３の傾斜面２３ａによって右側に向けて徐々に押され、白鍵４が右側に変位する。これにより、位置ずれしていた白鍵４（例えばＥの白鍵）とこれに隣接する第２の白鍵ユニット２の白鍵７（例えばＦの白鍵）との間の隙間Ｓが調整され、第１、第２の各鍵ユニット１、２の各白鍵４、７の配列状態が均一に揃う。
【００６３】
この場合、例えば、図１５において第１、第２の各白鍵ユニット１、２の各白鍵４、７のうち、第１の白鍵ユニット１における一部の白鍵４（例えばＥの白鍵）が、上述した場合とは逆に、鍵配列方向の右側に位置ずれして、配列状態が不揃いになっている場合には、第３配列調整部材１７の第３固定板２０を位置ずれしている白鍵４に対応する白鍵共通支持部５上に１８０度回転させて配置し、この第３固定板２０の第３変位突起部２３を、位置ずれしている白鍵４の屈曲部６の右側の辺部６ｂに対応させて配置する。
【００６４】
この状態で、締結部材１４を締め付けると、第３変位突起部２３の傾斜面２３ａが屈曲部６の右側に位置する辺部６ｂを徐々に押圧する。すると、締結部材１４の締付力に応じて屈曲部６が第３変位突起部２３の傾斜面２３ａによって左側に向けて徐々に押されて、白鍵４が左側に変位する。これにより、上述した場合と同様、位置ずれしていた白鍵４（例えばＥの白鍵）とこれに隣接する第２の白鍵ユニット２の白鍵７（例えばＦの白鍵）との間の隙間Ｓが調整され、第１、第２の各鍵ユニット１、２の各白鍵４、７の配列状態が均一に揃う。
【００６５】
このように、この鍵盤構造によれば、第１、第２の各白鍵ユニット１、２および黒鍵ユニット３のうち、第１の白鍵ユニット１における複数の白鍵４の各間に、第２の白鍵ユニット２の各白鍵７を配置させて、各白鍵共通支持部５、８を重ねて合わせて締結部材１４によって固定するときに、不揃いになっている一部の白鍵４、７に対応する箇所の共通支持部５上に第１〜第３の各配列調整部材１５〜１７のいずれかを選択して配置し、この選択した第１〜第３の配列調整部材１５〜１７のいずれかを締結部材１４の締付力によって押え付けることにより、白鍵４、７の不揃いを容易に且つ確実に調整することができる。
【００６６】
すなわち、この鍵盤構造では、第１の白鍵ユニット１における複数の白鍵４の各間に、第２の白鍵ユニット２の各白鍵７を配置させて、各白鍵共通支持部５、８を重ねて合わせた際に、不揃いになっている一部の白鍵４、７に対応する箇所の共通支持部５上に第１〜第３の各配列調整部材１５〜１７のいずれかを選択して配置し、締結部材１４によって締め付けると、その締結部材１４の締付力に応じて白鍵４、７を個別に変位させることができ、これにより白鍵４、７の配列状態を調整することができるので、第１、第２の白鍵ユニット１、２の各共通支持部５、８を特殊な形状に形成する必要がなく、白鍵４、７の不揃いを容易に且つ確実に調整することができる。
【００６７】
また、この鍵盤構造では、白鍵４、７および黒鍵１０の不揃いな状況に応じて複数の種類、つまり第１〜第３の各配列調整部材１５〜１７を有しているので、白鍵４、７および黒鍵１０の不揃いの状態に応じて第１〜第３の各配列調整部材１５〜１７のいずれかを選択することができ、これにより第１〜第３の各配列調整部材１５〜１７のいずれかによって白鍵４、７および黒鍵１０の不揃いを容易に且つ正確に調整することができる。
【００６８】
この場合、第１〜第３の配列調整部材１５〜１７は、最上部の共通支持部５上に配置される第１〜第３の固定板１８〜２０と、この第１〜第３の固定板１８〜２０の各下面に設けられて締結部材１４の締付力に応じて白鍵４、７の一部を変位させる第１〜第３の変位突起部２１〜２３とを備えていることにより、白鍵４、７の不揃いの状態に応じて第１〜第３の各配列調整部材１５〜１７のいずれかを選択することができ、これにより白鍵ユニット１、２の各共通支持部５、８を特殊な形状に形成する必要がなく、第１〜第３の各配列調整部材１５〜１７のいずれかによって白鍵４、７の不揃いを容易に且つ確実に調整することができる。
【００６９】
すなわち、この鍵盤構造では、第１配列調整部材１５の第１変位突起部２１が、最上部の共通支持部５に接近する白鍵４、７の屈曲部６、９の後端部における鍵配列方向に位置する一方の端部、例えば屈曲部６の左側の辺部６ａまたは右側の辺部６ｂの一方を押圧して、白鍵４、７を捻じれ変形させることにより、白鍵４、７が成形時に捻じれていても、締結部材１４の締付力による第１変位突起部２１の押圧力で屈曲部６、９を捻じれ変形させることができ、これにより白鍵４、７を捻じれ変形させて白鍵４、７を均一な配列状態に調整することができる。
【００７０】
この場合、白鍵４、７の各屈曲部６、９は、白鍵４、７の各上面よりも低い位置に設けられていることにより、屈曲部６、９が第１変位突起部２１によって押されて捻じれ変形する際に、屈曲部６、９を中心に白鍵４、７が捻じれるように回転するので、白鍵４、７の上面のうち、鍵配列方向における捻じれによる高い面が下り、捻じれによる低い面が上がるように、白鍵４、７を捻じれ変形させることができ、これにより白鍵４、７を均一な配列状態になるように調整することができる。
【００７１】
例えば、締結部材１４を締め付けることにより、第１変位突起部２１が屈曲部６の後端部における鍵配列方向に位置する左側の辺部６ａを押圧すると、締結部材１４の締付力に応じて屈曲部６が左下りに捻じれ、白鍵４を右上りに捻じることができる。これにより、捻じれていた白鍵４（例えばＥの白鍵）のねじれを修正することができると共に、この修正された白鍵４とこれに隣接する第２の白鍵ユニット２の白鍵７（例えばＦの白鍵）との間の隙間Ｓを調整することができ、第１、第２の各鍵ユニット１、２の各白鍵４、７の配列状態を均一に揃えることができる。
【００７２】
この場合、第１固定板１８を９０度回転させて共通支持部５上に配置した状態で、締結部材１４を締め付けると、第１変位突起部２１が屈曲部６の後端部における鍵配列方向に位置する右側の辺部６ｂを押圧するので、締結部材１４の締付力に応じて屈曲部６が右下りに捻じれ、白鍵４を左上りに捻じることができる。これによっても、捻じれていた白鍵４（例えばＥの白鍵）のねじれを修正することができると共に、この修正された白鍵４とこれに隣接する第２の白鍵ユニット２の白鍵７（例えばＦの白鍵）との間の隙間Ｓを調整することができ、第１、第２の各鍵ユニット１、２の各白鍵４、７の配列状態を均一に揃えることができる。
【００７３】
また、この鍵盤構造では、第２、第３の各配列調整部材１６、１７における第２、第３の各変位突起部２２、２３が、最上部の共通支持部５の前後部と白鍵４、７の屈曲部６、９における鍵配列方向の両側部とのいずれかを押圧して、白鍵４、７をその前後方向および鍵配列方向のいずれかの方向に変位させることにより、白鍵４、７の捻じれ変形による白鍵４、７の不揃いに限らず、白鍵４、７の前端面の前後方向における不揃い、または鍵配列方向に対する白鍵４、７の偏りによる白鍵４、７の不揃いをも調整して、白鍵４、７を均一な状態に配列させることができる。
【００７４】
すなわち、第２配列調整部材１６の第２変位突起部２２は、最上部の共通支持部５の前後部の一方に対応して突出し、この突出した部分における前後面の一方に傾斜面２２ａが上下方向に沿って設けられ、締結部材１４によって共通支持部５を鍵盤シャーシ１３上に固定する際に、共通支持部５の前後部の一方を傾斜面２２ａが押圧して、白鍵４、７をその前後方向に変位させることにより、白鍵４、７の前端面が前後方向に不揃いになっている場合に、その不揃いになっている白鍵４、７に対応する箇所に位置する共通支持部５の前後部を第２変位突起部２２の傾斜面２２ａによって前後に変位させることにより、白鍵４、７を均一な配列状態に調整することができる。
【００７５】
例えば、白鍵４（例えばＥの白鍵）が前方に位置ずれしている場合には、締結部材１４を締め付けて、第２変位突起部２２の傾斜面２２ａが白鍵共通支持部５の前端部５ａを押圧すると、締結部材１４の締付力に応じて傾斜面２２ａが白鍵共通支持部５を後方に向けて変位させることができ、これに伴って前側に位置ずれしている白鍵４を後方に変位させることができる。これにより、前側に位置ずれしている白鍵４の前端面をこれに隣接する白鍵７の前端面と同じ位置に調整することができ、第１、第２の各鍵ユニット１、２の各白鍵４、７の配列状態を均一に揃えることができる。
【００７６】
この場合、白鍵４（例えばＥの白鍵）が、上述した場合とは逆に、後方に位置ずれして場合には、第２固定板１９を白鍵共通支持部５上に１８０度回転させて配置し、この状態で、締結部材１４を締め付けると、第２変位突起部２２の傾斜面２２ａが白鍵共通支持部５の後端部５ｂを押圧するので、締結部材１４の締付力に応じて傾斜面２２ａが白鍵共通支持部５を前方に向けて変位させることができ、これに伴って後側に位置ずれしている白鍵４を前方に変位させることができる。これにより、後側に位置ずれしている白鍵４の前端面をこれに隣接する白鍵７の前端面と同じ位置に調整することができ、第１、第２の各鍵ユニット１、２の各白鍵４、７の配列状態を均一に揃えることができる。
【００７７】
また、第３配列調整部材１７の第３変位突起部２３は、白鍵４、７の屈曲部６、９における鍵配列方向に位置する両側部の一方に対応して突出し、この突出した部分における両側面の一方に傾斜面２３ａが上下方向に沿って設けられ、締結部材１４によって共通支持部５を鍵盤シャーシ１３上に固定する際に、鍵配列方向における屈曲部６、９の両側部の一方を傾斜面２３ａが押圧して、白鍵４、７を鍵配列方向に変位させることにより、鍵配列方向に対する白鍵４、７の偏りによって白鍵４、７が不揃いになっている場合に、その不揃いになっている白鍵４、７における屈曲部６、９の両側部を第３変位突起部２３の傾斜面２３ａによって鍵配列方向に変位させることができ、これにより白鍵４、７を均一な配列状態に調整することができる。
【００７８】
例えば、白鍵４（例えばＥの白鍵）が左右方向つまり鍵配列方向における左側に位置がずれて、白鍵４、７の配列状態が不揃いになっている場合には、締結部材１４を締め付けて、第３変位突起部２３の傾斜面２３ａが屈曲部６の左側に位置する辺部６ａを押圧すると、締結部材１４の締付力に応じて傾斜面２３ａが屈曲部６を右側に向けて押すので、白鍵４を右側に変位させることができる。これにより、位置ずれしていた白鍵４（例えばＥの白鍵）とこれに隣接する第２の白鍵ユニット２の白鍵７（例えばＦの白鍵）との間の隙間Ｓを調整することができ、第１、第２の各鍵ユニット１、２の各白鍵４、７の配列状態を均一に揃えることができる。
【００７９】
この場合、白鍵４（例えばＥの白鍵）が、上述した場合とは逆に、鍵配列方向の右側に位置がずれて、配列状態が不揃いになっている場合には、第３固定板２０を白鍵共通支持部５上に１８０度回転させて配置し、この状態で締結部材１４を締め付けて、第３変位突起部２３の傾斜面２３ａが屈曲部６の右側に位置する辺部６ｂを押圧すると、締結部材１４の締付力に応じて傾斜面２３ａが屈曲部６を左側に向けて変位させることができ、白鍵４を左側に変位させることができる。これにより、位置ずれしていた白鍵４（例えばＥの白鍵）とこれに隣接する第２の白鍵ユニット２の白鍵７（例えばＦの白鍵）との間の隙間Ｓを調整することができ、第１、第２の各鍵ユニット１、２の各白鍵４、７の配列状態を均一に揃えることができる。
【００８０】
なお、上述した実施形態では、第２配列調整部材１６の第２変位突起部２２が共通支持部材５の前後部を前後方向に押圧するように構成した場合について述べたが、これに限らず、例えば図１６（ａ）および図１６（ｂ）に示す第１変形例のように構成しても良い。すなわち、この第１変形例の第２変位突起部２５は、白鍵４、７の屈曲部６、９に鍵配列方向に沿って形成された長孔２６内に挿入する際に、屈曲部６、９を前後方向に変位させることにより、白鍵４、７を前後方向に変位させるように構成されている。
【００８１】
この場合、第２変位突起部２５は、第２配列調整部材１６の第２固定板１９の前後部にそれぞれ形成され、その前後部の一方における前面に傾斜面２５ａが形成され、その他方の後面に傾斜面２５ｂが形成されている。これにより、第２変位突起部２５は、前面に形成された傾斜面２５ａが長孔２６内に挿入すると、屈曲部６、９を前方に変位させて白鍵４、７を前側に変位させ、また第２固定板１９が１８０度回転して後面に形成された傾斜面２５ｂが長孔２６内に挿入すると、屈曲部６、９を後方に変位させて白鍵４、７を後側に変位させることができる。
【００８２】
また、上述した実施形態では、第３配列調整部材１７の第３変位突起部２３が鍵配列方向に位置する屈曲部６、９の両側部を鍵配列方向に押圧するように構成した場合について述べたが、これに限らず、例えば図１７（ａ）および図１７（ｂ）に示す第２変形例のように構成しても良い。すなわち、この第２変形例の第３変位突起部２７は、白鍵４、７の屈曲部６、９に前後方向に沿って形成された長孔２８内に挿入する際に、屈曲部６、９を鍵配列方向に変位させることにより、白鍵４、７を鍵配列方向に変位させるように構成されている。
【００８３】
この場合、第３変位突起部２７は、第３配列調整部材１７の第３固定板２０の前後部にそれぞれ形成され、その前後部の一方における鍵配列方向の一方（右側）の側面に傾斜面２７ａが形成され、前後部の他方における鍵配列方向の他方（右側）の側面に傾斜面２７ｂが形成されている。これにより、第３変位突起部２７は、一方の傾斜面２７ａが長孔２８内に挿入すると、屈曲部６、９を左側に変位させて白鍵４、７を左側に変位させ、また第３固定板２０が１８０度回転して他方の傾斜面２７ｂが長孔２８内に挿入すると、屈曲部６、９を右方に変位させて、白鍵４、７を右側に変位させることができる。
【００８４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８５】
（付記）
請求項１に記載の発明は、複数の鍵の各後端部を前記複数の鍵の配列方向に沿って連続して連結する共通支持部と、前記共通支持部を鍵盤シャーシ上に固定することにより、前記複数の鍵を前記鍵盤シャーシ上に並列に配列させると、前記によって前記共通支持部を前記鍵盤シャーシ上に固定する際に、前記鍵の配列状態が不揃いな鍵に対応する前記共通支持部上の位置に配置され、前記の締付力に応じて前記不揃いな鍵を変位させて前記鍵の配列状態を調整する配列調整部材と、を備えていることを特徴とする鍵盤構造である。
【００８６】
請求項２に記載の発明は、請求項１に記載の鍵盤構造において、前記配列調整部材は、前記鍵の不揃いな状況に応じて複数の種類を有していることを特徴とする鍵盤構造である。
【００８７】
請求項３に記載の発明は、請求項１または請求項２に記載の鍵盤構造において、前記配列調整部材は、前記共通支持部上に配置される固定板と、この固定板の下面に設けられて前記の締付力に応じて前記鍵を変位させる変位突起部とを備えていることを特徴とする鍵盤構造である。
【００８８】
請求項４に記載の発明は、請求項３に記載の鍵盤構造において、前記複数種類の配列調整部材のうち、１種類の配列調整部材の前記変位突起部は、前記共通支持部に接近する前記屈曲部の後端部における前記鍵配列方向に位置する一方の端部を押圧して、前記鍵を捻じれ変形させることを特徴とする鍵盤構造である。
【００８９】
請求項５に記載の発明は、請求項４に記載の鍵盤構造において、前記鍵の前記屈曲部は前記鍵の上面よりも低い位置に設けられていることを特徴とする鍵盤構造である。
【００９０】
請求項６に記載の発明は、請求項３に記載の鍵盤構造において、前記複数種類の配列調整部材のうち、いずれか複数の配列調整部材の前記変位突起部は、前記共通支持部の前後部と前記鍵配列方向における前記屈曲部の両側部とのいずれかを面方向に沿って押圧して、前記鍵をその前後方向および鍵配列方向のいずれかの方向に変位させることを特徴とする鍵盤構造である。
【００９１】
請求項７に記載の発明は、請求項６に記載の鍵盤構造において、前記配列調整部材の前記変位突起部は、前記共通支持部の前後部の一方に対応して突出し、この突出した部分における前後面の一方に傾斜面が上下方向に沿って設けられ、前記によって前記共通支持部を前記鍵盤シャーシ上に固定する際に、前記共通支持部の前後部の前記一方を前記傾斜面で押圧して、前記鍵をその前後方向に変位させることを特徴とする鍵盤構造である。
【００９２】
請求項８に記載の発明は、請求項６に記載の鍵盤構造において、前記配列調整部材の前記変位突起部は、前記鍵配列方向における前記屈曲部の両側部の一方に対応して突出し、この突出した部分における両側面の一方に傾斜面が上下方向に沿って設けられ、前記によって前記共通支持部を前記鍵盤シャーシ上に固定する際に、前記鍵配列方向における前記屈曲部の両側部の前記一方を前記傾斜面で押圧して、前記鍵を前記鍵配列方向に変位させることを特徴とする鍵盤構造である。
【符号の説明】
【００９３】
１  第１の白鍵ユニット
２  第２の白鍵ユニット
３  黒鍵ユニット
４、７  白鍵
５、８、１１  共通支持部
５ｂ  前端部
５ｃ  後端部
６、９、１２  屈曲部
６ａ、６ｂ  辺部
１０  黒鍵
１３  鍵盤シャーシ
１４  締結部材
１５〜１７  第１〜第３の各配列調整部材
１８〜２０  第１〜第３の各固定板
２１〜２３  第１〜第３の各変位突起部
２２ａ、２３ａ  傾斜面
２５  第１変形例の変位突起部
２５ａ、２５ｂ  傾斜面
２７  第２変形例の変位突起部
２７ａ、２７ｂ  傾斜面
【図１】
2014021145.tif 000003
【図２】
2014021145.tif 000004
【図３】
2014021145.tif 000005
【図４】
2014021145.tif 000006
【図５】
2014021145.tif 000007
【図６】
2014021145.tif 000008
【図７】
2014021145.tif 000009
【図８】
2014021145.tif 000010
【図９】
2014021145.tif 000011
【図１０】
2014021145.tif 000012
【図１１】
2014021145.tif 000013
【図１２】
2014021145.tif 000014
【図１３】
2014021145.tif 000015
【図１４】
2014021145.tif 000016
【図１５】
2014021145.tif 000017
【図１６】
2014021145.tif 000018
【図１７】
2014021145.tif 000019